(57)【要約】  移動通信システムにおける端末管理装置間で、移動通信制御の処理の負荷をシステム内で再分散するときに必要な情報処理量を軽減することができるようにする。  端末管理装置４０−１は、管理対象である移動端末装置が所属するグループを基準に基づいて設定することによってグループ情報を生成し、同一のグループに属する移動端末装置の通信状態を管理する処理が他の端末管理装置４０−２へ引き継がれるときに、対向装置５０が、同一のグループに属する移動端末装置に関して、制御される対象を、端末管理装置４０−１から他の端末管理装置４０−２に変更できるように、グループ情報を対向装置５０へ通知する設定部４１−１と、グループ情報を記憶する記憶部４２−１と、移動端末装置の通信状態を管理する処理を、グループを単位としてまとめて他の端末管理装置４０−２が引き継ぐように制御する制御部４３−１と、を備える。
2018021162.tif 000002
【特許請求の範囲】
【請求項１】
１以上の移動端末装置の通信状態を管理し、前記移動端末装置を外部の装置と通信可能に接続するように対向装置を制御する複数の端末管理装置のいずれかであって、
管理対象である前記移動端末装置が所属するグループを、基準に基づいて設定することによって、前記移動端末装置と前記グループとを関連付けるグループ情報を生成したのち、同一の前記グループに属する前記移動端末装置の通信状態を管理する処理が他の端末管理装置へ引き継がれるときに、前記対向装置が、前記グループ情報に基づいて、同一の前記グループに属する前記移動端末装置に関して、制御される対象を、自装置から前記他の端末管理装置に変更できるように、前記グループ情報を前記対向装置へ通知する設定手段と、
前記グループ情報を記憶する記憶手段と、
前記移動端末装置の通信状態を管理する処理を、前記記憶手段に記憶された前記グループ情報に基づいて、前記グループを単位として、前記他の端末管理装置が引き継ぐように制御する制御手段と、
を備える端末管理装置。
【請求項２】
前記設定手段は、前記移動端末装置の通信状態を管理する、前記端末管理装置に含まれる物理資源あるいは論理資源を単位として、前記物理資源あるいは前記論理資源と紐付けされる前記グループを設定する、
請求項１に記載の端末管理装置。
【請求項３】
前記設定手段は、前記移動端末装置の通信状態を管理する、前記端末管理装置により実行されるプロセスを単位として、前記プロセスに紐付けされる前記グループを設定する、
請求項１に記載の端末管理装置。
【請求項４】
前記設定手段は、通信状態を管理する対象である前記移動端末装置の数に基づいて、前記グループを決定する、
請求項１に記載の端末管理装置。
【請求項５】
前記設定手段は、前記対向装置に対して通知する、Ｓ１アプリケーションプロトコルを識別可能な識別情報、及び、回線の接続ごとに仮想的な直結回線を識別可能な識別情報の少なくともいずれかに、前記グループ情報を含めることによって、前記グループ情報を、前記対向装置に対して通知する、
請求項１乃至４のいずれか一項に記載の端末管理装置。
【請求項６】
１以上の移動端末装置の通信状態を管理する第一及び第二の端末管理装置のいずれかによる制御によって、前記移動端末装置を外部の装置と通信可能に接続する対向装置であって、
前記第一の端末管理装置によって、管理対象の前記移動端末装置が所属するグループを基準に基づいて設定された前記グループと、前記移動端末装置と、を関連付けるグループ情報を通知されたのちに、前記第二の端末管理装置が、前記第一の端末管理装置から同一の前記グループに属する前記移動端末装置の通信状態を管理する処理を引き継ぐときに、前記グループ情報に基づいて、同一の前記グループに属する前記移動端末装置に関して、制御される対象を、前記第一の端末管理装置から前記第二の端末管理装置に変更する、
対向装置。
【請求項７】
１以上の移動端末装置の通信状態を管理する第一及び第二の端末管理装置と、
少なくとも前記第一の端末管理装置による制御によって、前記移動端末装置を外部の装置と通信可能に接続する対向装置と、
を含み、
前記第一の端末管理装置は、
管理対象である前記移動端末装置が所属するグループを基準に基づいて設定することによって生成した、前記移動端末装置と前記グループとを関連付けるグループ情報を、前記対向装置へ通知する設定手段と、
前記グループ情報を記憶する記憶手段と、
前記移動端末装置の通信状態を管理する処理を、前記記憶手段に記憶された前記グループ情報に基づいて、前記グループを単位として、前記第二の端末管理装置が引き継ぐように制御する制御手段と、
を備え、
前記対向装置は、前記第二の端末管理装置が、前記第一の端末管理装置から同一の前記グループに属する前記移動端末装置の通信状態を管理する処理を引き継ぐときに、前記グループ情報に基づいて、同一の前記グループに属する前記移動端末装置に関して、制御される対象を、前記第一の端末管理装置から前記第二の端末管理装置に変更する、
移動通信制御システム。
【請求項８】
前記第一の端末管理装置において、
前記制御手段は、前記移動端末装置の通信状態を管理する処理を前記第二の端末管理装置が引き継ぐように制御する制御単位を、前記グループとするか否かを指示する機能切り替え情報に基づいて、前記制御単位を、前記グループあるいは前記移動端末装置のいずれかに切り替え、
前記対向装置は、前記機能切り替え情報に基づいて、前記移動端末装置に関して、制御される対象を、前記第一の端末管理装置から前記第二の端末管理装置に変更する変更単位を、前記グループあるいは前記移動端末装置のいずれかに切り替える、
請求項７に記載の移動通信制御システム。
【請求項９】
１以上の移動端末装置の通信状態を管理する第一及び第二の端末管理装置と、
前記端末管理装置による制御によって、前記移動端末装置を外部の装置と通信可能に接続する対向装置と、
を含むシステムにおいて、
前記第一の端末管理装置によって、
管理対象の前記移動端末装置が所属するグループを基準に基づいて設定することによって生成した、前記移動端末装置と前記グループとを関連付けるグループ情報を、前記対向装置へ通知し、
前記グループ情報を記憶手段に記憶し、
前記移動端末装置の通信状態を管理する処理を、前記記憶手段に記憶された前記グループ情報に基づいて、前記グループを単位として、前記第二の端末管理装置が引き継ぐように制御し、
前記対向装置によって、
前記第二の端末管理装置が、前記第一の端末管理装置から同一の前記グループに属する前記移動端末装置の通信状態を管理する処理を引き継ぐときに、前記グループ情報に基づいて、同一の前記グループに属する前記移動端末装置に関して、制御される対象を、前記第一の端末管理装置から前記第二の端末管理装置に変更する、
移動通信制御方法。
【請求項１０】
１以上の移動端末装置の通信状態を管理し、前記移動端末装置を外部の装置と通信可能に接続するように対向装置を制御する複数の端末管理装置のいずれかによって、
管理対象である前記移動端末装置が所属するグループを、基準に基づいて設定することによって、前記移動端末装置と前記グループとを関連付けるグループ情報を生成したのち、同一の前記グループに属する前記移動端末装置の通信状態を管理する処理が他の端末管理装置へ引き継がれるときに、前記対向装置が、前記グループ情報に基づいて、同一の前記グループに属する前記移動端末装置に関して、制御される対象を、自装置から前記他の端末管理装置に変更できるように、前記グループ情報を前記対向装置へ通知する設定処理と、
前記グループ情報を記憶手段に記憶する記憶処理と、
前記移動端末装置の通信状態を管理する処理を、前記記憶手段に記憶された前記グループ情報に基づいて、前記グループを単位として、まとめて前記他の端末管理装置が引き継ぐように制御する制御処理と、
を実行させるための端末管理プログラムが格納された記録媒体。
【請求項１１】
前記第一の端末管理装置において、前記設定手段は、前記移動端末装置の通信状態を管理する、前記端末管理装置に含まれる物理資源あるいは論理資源を単位として、前記物理資源あるいは前記論理資源と紐付けされる前記グループを設定する、
請求項７に記載の移動通信制御システム。
【請求項１２】
前記第一の端末管理装置において、前記設定手段は、前記移動端末装置の通信状態を管理する、前記端末管理装置により実行されるプロセスを単位として、前記プロセスに紐付けされる前記グループを設定する、
請求項７に記載の移動通信制御システム。
【請求項１３】
前記第一の端末管理装置において、前記設定手段は、通信状態を管理する対象である前記移動端末装置の数に基づいて、前記グループを決定する、
請求項７に記載の移動通信制御システム。
【請求項１４】
前記対向装置は、前記移動端末装置を前記外部の装置と通信可能に接続する基地局を備え、
前記第一の端末管理装置において、前記設定手段は、前記基地局に対して通知する、Ｓ１アプリケーションプロトコルを識別可能な識別情報に、前記グループ情報を含めることによって、前記グループ情報を、前記基地局に対して通知する、
請求項７に記載の移動通信制御システム。
【請求項１５】
前記対向装置は、前記基地局を収容するゲートウェイを備え、
前記第一の端末管理装置において、前記設定手段は、前記ゲートウェイに対して通知する、回線の接続ごとに仮想的な直結回線を識別可能な識別情報に、前記グループ情報を含めることによって、前記グループ情報を、前記ゲートウェイに対して通知する、
請求項１４に記載の移動通信制御システム。
【請求項１６】
前記第一の端末管理装置において、前記制御手段は、前記移動端末装置の通信状態を管理する処理を前記第二の端末管理装置が引き継ぐように制御する制御単位を、前記グループとするか否かを指示する機能切り替え情報に基づいて、前記制御単位を、前記グループあるいは前記移動端末装置のいずれかに切り替え、
前記対向装置は、前記機能切り替え情報に基づいて、前記移動端末装置に関して、制御される対象を、前記第一の端末管理装置から前記第二の端末管理装置に変更する変更単位を、前記グループあるいは前記移動端末装置のいずれかに切り替える、
請求項７に記載の移動通信制御システム。
【請求項１７】
前記第一の端末管理装置において、前記制御手段は、１以上の前記移動端末装置の通信状態に基づいて、前記機能切り替え情報が示す値を決定し、値を決定した前記機能切り替え情報を、前記対向装置へ通知する、
請求項１６に記載の移動通信制御システム。
【発明の詳細な説明】
【技術分野】
【０００１】
本願発明は、移動通信の制御を行うシステムにおいて、移動通信制御の処理の負荷を、システム内で再分散する技術に関する。
【背景技術】
【０００２】
スマートフォンに代表される携帯端末装置を使用した通信データ量は、携帯端末装置の普及により、年々、急速に増加してきている。したがって、移動通信の制御を行うシステムによって行われる情報処理量も急速に増加しているので、このようなシステムの処理の負荷を軽減する技術に対する期待が高まってきている。【０００３】
このような技術に関連する技術として、特許文献１には、複数ＰＤＮ（Packet Data Network）コネクションを切断する際に、パケット交換局装置とサービングゲートウェイ装置との間で送受信される信号量を減らし、これらの装置の処理の負荷を軽減する方法が開示されている。この方法は、第１通信方式の移動通信システムにおいて対象移動機が在圏していたエリアのサービングゲートウェイ装置に対して、第２通信方式の移動通信システムにおいて当該対象移動機が在圏するエリアのパケット交換局から、当該サービングゲートウェイ装置を起点にして対象移動局に対して設定しているＰＤＮコネクションの切断を要求する。この方法では、当該対象移動局に対応した加入者識別子と引継ぎ対象のＰＤＮコネクション情報を設定可能な構造を有する切断信号を、当該パケット交換局から当該サービングゲートウェイ装置へ送信する。この方法では、その切断信号を受信したサービングゲートウェイ装置は、切断信号に設定された加入者識別子及び引継ぎ対象のＰＤＮコネクション情報に基づいて、切断対象のＰＤＮコネクションを検索して切断する。【０００４】
また、特許文献２には、セル調整を実施する基地局における処理の負荷を軽減する無線通信システムが開示されている。このシステムは、移動局を収容する複数の基地局、基地局を収容するゲートウェイ装置、およびそれら基地局を所定の方法によりグループ化してセルの最適化を行うＳＯＮ（Self-Organizing Network）サーバにより構成されている。当該ＳＯＮサーバは、基地局をグループ化する処理を実施した場合、各基地局の処理の負荷に基づき、同一グループに分類された基地局を代表してゲートウェイ装置と通信するマスター基地局を選定する。そして、マスター基地局として選定された基地局は、自局および自局と同一グループに属している他の基地局から同一の下り信号が送信されるように、当該他の基地局と、制御情報およびユーザデータを送受信する。
【先行技術文献】
【特許文献】
【０００５】
【特許文献１】特開2012-004912号公報
【特許文献２】特開2012-004874号公報
【発明の概要】
【発明が解決しようとする課題】
【０００６】
例えば、現在の携帯電話通信サービスにおいて提供されているＬＴＥ（Long Term Evolution）回線網を収容するＥＰＣ（Evolved Packet Core）ネットワークでは、３ＧＰＰ（Third Generation Partnership Project）ＴＳ２３．４０１により規定される「Load re-balancing between MMEs」（MME: Mobility Management Entity）のような技術が使用されている。この技術は、ＥＰＣネットワークに含まれる装置（ノード）である複数のＭＭＥの間で、特定のＭＭＥに処理の負荷が偏らないように、処理の負荷を再分散する技術である。ここで、ＭＭＥは、携帯電話等の移動端末装置の通信状態等を管理することによって、ネットワークにおける通信制御を行う端末管理装置である。ＭＭＥは、ＥＰＣネットワークに含まれるＳ−ＧＷ（Serving Gateway）、及び、Ｓ−ＧＷにより収容される基地局であるｅＮｏｄｅＢ（evolved Node B）と、情報を送受信することによって、移動端末装置の位置登録、呼出、及び、基地局間のハンドオーバ等の通信制御を行う。【０００７】
ＭＭＥ間で処理の負荷を再分散する場合、通常、移動端末装置を単位として（すなわち、加入者を単位として）、負荷を再分散するのに必要な情報が、ＭＭＥ、Ｓ−ＧＷ、及び、ｅＮｏｄｅＢとの間で送受信される。したがって、同時に多数の移動端末装置に関する通信制御の処理をＭＭＥ間で移動させる場合、ＭＭＥ、Ｓ−ＧＷ、及び、ｅＮｏｄｅＢとの間で送受信される情報量が膨大となる。この問題に対して、ＭＭＥ、Ｓ−ＧＷ、及び、ｅＮｏｄｅＢを高度な処理能力を持つ装置とした場合、通信インフラを構築するコストが上昇する。また、上述した膨大な情報量によって、ＭＭＥ間で処理の負荷を再分散する処理に遅れが生じた場合、呼損等が発生する虞もある。特許文献１及び２によって示される技術は、この問題を解決するのに十分であるとは言えない。本願発明の主たる目的は、この問題を解決する移動通信制御システム等を提供することである。
【課題を解決するための手段】
【０００８】
本願発明の一態様に係る端末管理装置は、１以上の移動端末装置の通信状態を管理し、前記移動端末装置を外部の装置と通信可能に接続するように対向装置を制御する複数の端末管理装置のいずれかであって、管理対象である前記移動端末装置が所属するグループを、基準に基づいて設定することによって、前記移動端末装置と前記グループとを関連付けるグループ情報を生成したのち、同一の前記グループに属する前記移動端末装置の通信状態を管理する処理が他の端末管理装置へ引き継がれるときに、前記対向装置が、前記グループ情報に基づいて、同一の前記グループに属する前記移動端末装置に関して、制御される対象を、自装置から前記他の端末管理装置に変更できるように、前記グループ情報を前記対向装置へ通知する設定手段と、前記グループ情報を記憶する記憶手段と、前記移動端末装置の通信状態を管理する処理を、前記記憶手段に記憶された前記グループ情報に基づいて、前記グループを単位として、前記他の端末管理装置が引き継ぐように制御する制御手段と、を備える。【０００９】
上記目的を達成する他の見地において、本願発明の一態様に係る移動通信制御方法は、１以上の移動端末装置の通信状態を管理する第一及び第二の端末管理装置と、前記端末管理装置による制御によって、前記移動端末装置を外部の装置と通信可能に接続する対向装置と、を含むシステムにおいて、前記第一の端末管理装置によって、管理対象の前記移動端末装置が所属するグループを基準に基づいて設定することによって生成した、前記移動端末装置と前記グループとを関連付けるグループ情報を、前記対向装置へ通知し、前記グループ情報を記憶手段に記憶し、前記移動端末装置の通信状態を管理する処理を、前記記憶手段に記憶された前記グループ情報に基づいて、前記グループを単位として、前記第二の端末管理装置が引き継ぐように制御し、前記対向装置によって、前記第二の端末管理装置が、前記第一の端末管理装置から同一の前記グループに属する前記移動端末装置の通信状態を管理する処理を引き継ぐときに、前記グループ情報に基づいて、同一の前記グループに属する前記移動端末装置に関して、制御される対象を、前記第一の端末管理装置から前記第二の端末管理装置に変更する。【００１０】
また、上記目的を達成する更なる見地において、本願発明の一態様に係る端末管理プログラムは、１以上の移動端末装置の通信状態を管理し、前記移動端末装置を外部の装置と通信可能に接続するように対向装置を制御する複数の端末管理装置のいずれかによって、管理対象である前記移動端末装置が所属するグループを、基準に基づいて設定することによって、前記移動端末装置と前記グループとを関連付けるグループ情報を生成したのち、同一の前記グループに属する前記移動端末装置の通信状態を管理する処理が他の端末管理装置へ引き継がれるときに、前記対向装置が、前記グループ情報に基づいて、同一の前記グループに属する前記移動端末装置に関して、制御される対象を、自装置から前記他の端末管理装置に変更できるように、前記グループ情報を前記対向装置へ通知する設定処理と、前記グループ情報を記憶手段に記憶する記憶処理と、前記移動端末装置の通信状態を管理する処理を、前記記憶手段に記憶された前記グループ情報に基づいて、前記グループを単位として、まとめて前記他の端末管理装置が引き継ぐように制御する制御処理と、を実行させるためのプログラムである。【００１１】
更に、本願発明は、係る端末管理プログラム（コンピュータプログラム）が格納された、コンピュータ読み取り可能な、不揮発性の記録媒体によっても実現可能である。
【発明の効果】
【００１２】
本願発明は、移動通信システムにおける端末管理装置間で、移動通信制御の処理の負荷をシステム内で再分散するときに必要な情報処理量を軽減することを可能とする。
【図面の簡単な説明】
【００１３】
【図１】本願発明の第１の実施形態に係る移動通信制御システム１の構成を示すブロック図である。
【図２】本願発明の第１の実施形態に係る移動通信制御システム１が、ＭＭＥに接続したＵＥに対してグループＩＤを設定する動作を示すシーケンス図である。
【図３】本願発明の第１の実施形態に係る移動通信制御システム１が、管理対象のＵＥが通信中であるＭＭＥを含むＭＭＥ間で負荷の再分散を行う動作を示すシーケンス図である。
【図４】本願発明の第１の実施形態に係る移動通信制御システム１が、管理対象のＵＥが待機中であるＭＭＥを含むＭＭＥ間で負荷の再分散を行う動作を示すシーケンス図である。
【図５】本願発明の第２の実施形態に係る端末管理装置４０−１の構成を示すブロック図である。
【図６】本願発明の各実施形態に係るＭＭＥあるいは端末管理装置を実行可能な情報処理装置の構成を示すブロック図である。
【発明を実施するための形態】
【００１４】
以下、本願発明の実施の形態について図面を参照して詳細に説明する。
【００１５】
＜第１の実施形態＞
図１は、本願発明の第１の実施の形態に係る移動通信制御システム１の構成を概念的に示すブロック図である。本実施形態にかかる移動通信制御システム１は、大別して、ＭＭＥ群１０、Ｓ−ＧＷ２１、及び、ｅＮｏｄｅＢ２２を有している。移動通信制御システム１は、携帯電話等の移動端末装置であるＵＥ（User Equipment）３０−１乃至３０−ｍ（ｍは１以上の任意の整数）に対する通信制御を行うシステムである。
【００１６】
ＵＥ３０−１乃至３０−ｍは、ＵＥ３０−１乃至３０−ｍを外部の装置と通信可能に接続する基地局であるｅＮｏｄｅＢ２２と通信可能に接続されている。Ｓ−ＧＷ２１は、ｅＮｏｄｅＢ２２を収容するゲートウェイである。ＭＭＥ群１０は、Ｓ−ＧＷ２１、及び、ｅＮｏｄｅＢ２２と通信可能に接続され、ＵＥ３０−１乃至３０−ｍの通信状態等を管理することによって、ＵＥ３０−１乃至３０−ｍに対する通信制御を行う端末管理装置群である。Ｓ−ＧＷ２１、及び、ｅＮｏｄｅＢ２２は、移動通信制御において、ＭＭＥ群１０と対向する装置であり、本願では以降、Ｓ−ＧＷ２１とｅＮｏｄｅＢ２２とをまとめて、対向装置２０（対向ノード）と称する場合がある。尚、図１は、説明の便宜上、Ｓ−ＧＷ２１、及び、ｅＮｏｄｅＢ２２を１つずつ示しているが、図１に示す移動通信制御システム１は、これらの装置を複数有してもよい。
【００１７】
ＭＭＥ群１０は、複数のＭＭＥ１０−１乃至１０−ｎ（ｎは２以上の任意の整数）を含んでいる。ＭＭＥ群１０は、ＭＭＥ１０−１乃至１０−ｎのうちの特定のＭＭＥに、移動通信制御の処理の負荷が偏らないようにするため、ＭＭＥ１０−１乃至１０−ｎの間で、移動通信制御の処理の負荷を再分散する機能を備えている。ＭＭＥ１０−１乃至１０−ｎの個々の構成及び機能は同等である。
【００１８】
次に、ＭＭＥの動作について、詳細に説明する。ＭＭＥ１０−１は、設定部１１−１、記憶部１２−１、及び、制御部１３−１を備えている。
【００１９】
設定部１１−１は、例えばＵＥ３０−ｉ（ｉは１乃至ｍのいずれかの整数）が、対向装置２０を介して、「Attach Request」信号（アタッチ要求信号）、あるいは、「ＴＡＵ（Tracking Area Update ）Request」信号（位置登録要求信号）等によりＭＭＥ１０−１に接続してきたときに、ＵＥ３０−ｉが所属するクループを表すグループＩＤ（Identification）を、所定の基準に基づいて、ＵＥ３０−ｉに対して設定する（割り当てる）。「Attach Request」信号は、ＵＥ３０−ｉの電源がオンされたときに、ＵＥ３０−ｉが自装置をネットワークに登録するために送信する信号である。ＴＡＵ信号は、ＵＥ３０−ｉが、自装置の位置をネットワークに登録する（自装置の位置を更新する）ために送信する信号である。
【００２０】
設定部１１−１は、ＵＥ３０−ｉに対してグループＩＤを設定する際に用いる基準として、例えば、ＭＭＥ１０−１に関する物理資源、あるいは、論理資源を単位として、その物理資源あるいは論理資源と紐付けされる値をグループＩＤとして設定してもよい。この場合、物理資源とは、例えば、ＭＭＥ１０−１を表す物理装置、あるいは、ＭＭＥ１０−１に内包されるプロセッサなどのことである。論理資源とは、例えば、ＭＭＥ１０−１を実現する仮想マシンなどのことである。
【００２１】
設定部１１−１は、例えば、ＭＭＥ１０−１に内包されるプロセッサＡ（不図示）が、ＵＥ３０−１及びＵＥ３０−２の通信状態を管理する処理を実行している場合、ＵＥ３０−１及びＵＥ３０−２に対して同じグループＩＤを設定する。設定部１１−１は、例えば、ＭＭＥ１０−１を実現する仮想マシンＢ（不図示）が、ＵＥ３０−３乃至ＵＥ３０−５の通信状態を管理する処理を実行している場合、ＵＥ３０−３乃至ＵＥ３０−５に対して同じグループＩＤを設定する。
【００２２】
設定部１１−１は、当該基準として、あるいは、ＵＥ３０−ｉの通信状態を管理する、ＭＭＥ１０−１により実行されるプロセスを単位として、そのプロセスと紐付けされる値をグループＩＤとして設定してもよい。設定部１１−１は、例えば、ＭＭＥ１０−１により実行されるプロセスＣ（不図示）がＵＥ３０−２及びＵＥ３０−３の通信状態を管理する処理を実行している場合、ＵＥ３０−２及びＵＥ３０−３に対して同じグループＩＤを設定する。
【００２３】
設定部１１−１は、当該基準として、あるいは、ＭＭＥ１０−１が通信状態を管理する対象であるＵＥの数に基づいて、グループＩＤを設定してもよい。この場合、設定部１１−１は、例えば、１つのグループに属する管理対象とするＵＥの数が、所定の値以下となるように、グループＩＤを設定する。設定部１１−１は、例えば、１つのグループに属する管理対象とするＵＥの数を「１０」以下とする場合、ＵＥ３０−１乃至３０−１０に対して、グループＩＤを「１」に設定し、ＵＥ３０−１１乃至３０−２０に対して、グループＩＤを「２」に設定する。
【００２４】
設定部１１−１は、ＵＥ３０−ｉと、ＵＥ３０−ｉに対して設定したグループＩＤと、を紐付ける（関連付ける）グループ情報を生成し、生成したグループ情報を、記憶部１２−１に格納する。記憶部１２−１は、例えば、ＭＭＥ１０−１に内包されるメモリ等の記憶デバイスである。すなわち、記憶部１２−１は、ＵＥごとに、設定されたグループＩＤを記憶している。
【００２５】
設定部１１−１は、当該グループ情報を、Ｓ−ＧＷ２１、及び、ｅＮｏｄｅＢ２２へ通知する。設定部１１−１は、例えば、Ｓ−ＧＷ２１に対して送信する「Create Session Request」信号あるいは「Modify Bearer Request」信号に含まれる「Sender F-TEID（Tunnel Endpoint Identifier）」の領域の先頭部分に、ＵＥ３０−ｉに対して設定したグループＩＤ（例えば７ビットの値）を埋め込むことによって、当該グループ情報を、Ｓ−ＧＷ２１へ通知する。「Create Session Request」信号は、ＭＭＥ１０−１がＵＥ３０−ｉから「Attach Request」信号を受信した場合に、Ｓ−ＧＷ２１に送信する信号である。「Modify Bearer Request」信号は、ＭＭＥ１０−１がＵＥ３０−ｉから「TAU Request」信号を受信した場合に、Ｓ−ＧＷ２１に送信する信号である。「Sender F-TEID」は、３ＧＰＰのＴＳ２９．２７４及びＴＳ３６．４１３により定義されている、対向装置２０により指定される、回線の接続（セッション）ごとに仮想的な直結回線（トンネル）を識別可能な識別子（識別情報）である。
【００２６】
設定部１１−１は、例えば、ｅＮｏｄｅＢ２２に対して送信する「Initial Context Setup Request」信号に含まれる「S1APID」の領域の先頭部分に、ＵＥ３０−ｉに対して設定したグループＩＤ（例えば７ビットの値）を埋め込むことによって、当該グループ情報を、ｅＮｏｄｅＢ２２へ通知する。「S1APID」は、３ＧＰＰのＴＳ２９．２７４及びＴＳ３６．４１３により定義されている、対向装置２０により指定される、Ｓ１ＡＰ（Application Protocol）（Ｓ１アプリケーションプロトコル）を識別可能な識別子（識別情報）である。
【００２７】
制御部１３−１は、ＭＭＥ１０−１の移動通信制御の処理の負荷が高まり、その移動通信制御の処理の少なくとも一部を、他のＭＭＥに移動させる必要があるような状態になった場合に、以下の通りに動作する。すなわち、制御部１３−１は、ＵＥ３０−ｉ等の通信状態を管理する処理を、記憶部１２−１に記憶されたグループ情報に基づいて、ＵＥ３０−ｉが所属するグループを単位としてまとめて、ＭＭＥ１０−１を除く少なくともいずれかのＭＭＥが引き継ぐように制御する。尚、ＭＭＥ１０−１乃至１０−ｎが、自装置の負荷の状態を管理して、他のＭＭＥとの間で、移動通信制御の処理を移動させることを調整する構成については、既存の技術であるので、その詳細の説明は省略する。
【００２８】
制御部１３−１は、移動通信制御の処理を移動させる対象（解放対象）であるＵＥ３０−ｉが待機中（ECM(Evolved packet system Connection Management)-IDLE）の状態である場合は、ｅＮｏｄｅＢ２２に対して、「Paging」（呼び出し）の処理を行う。これにより、ＭＭＥ１０−１、ｅＮｏｄｅ２２、及び、ＵＥ３０−ｉは、「Service Request Procedure」の処理を行う。制御部１３−１は、ＵＥ３０が通信中（ECM-CONNECTED）の状態である場合は、「Paging」及び「Service Request Procedure」の処理は行われない。
【００２９】
制御部１３−１は、ＵＥ３０−ｉに関するグループ情報を、Ｓ−ＧＷ２１、及び、ｅＮｏｄｅＢ２２へ通知する。制御部１３−１は、例えば、Ｓ−ＧＷ２１に対して送信する「Release Access Bearer Request」信号に含まれる「TEID」の領域の先頭部分に、ＵＥ３０−ｉに対して設定されているグループＩＤ（例えば７ビットの値）を埋め込み、「TEID」の領域の残りの部分を「０」でパディングすることによって、当該グループ情報を、Ｓ−ＧＷ２１へ通知する。「Release Access Bearer Request」信号は、ＭＭＥ１０−１が、ＵＥ３０−ｉを解放する場合に、Ｓ−ＧＷ２１に送信する信号である。「TEID」は、３ＧＰＰのＴＳ２９．２７４及びＴＳ３６．４１３により定義されている、対向装置２０により指定される、セッションごとにトンネルを識別可能な識別子である。
【００３０】
制御部１３−１は、例えば、ｅＮｏｄｅＢ２２に対して送信する「UE Context Release Command」信号に含まれる「S1APID」の領域の先頭部分に、ＵＥ３０−ｉに対して設定されたグループＩＤ（例えば７ビットの値）を埋め込み、「S1APID」の領域の残りの部分を「０」でパディングすることによって、当該グループ情報を、ｅＮｏｄｅＢ２２へ通知する。
【００３１】
Ｓ−ＧＷ２１は、ＭＭＥ１０−１から、「Create Session Request」信号あるいは「Modify Bearer Request」信号等により、ＵＥ３０−ｉに関するグループ情報を通知された場合、そのグループ情報を、記憶部２１０に記憶する。記憶部２１０は、例えば、Ｓ−ＧＷ２１に内包されるメモリ等の記憶デバイスである。記憶部２１０は、ＵＥ３０−ｉとそのグループＩＤとを関連付けて記憶する。Ｓ−ＧＷ２１は、ＭＭＥ１０−１から受信した「Create Session Request」信号あるいは「Modify Bearer Request」信号に対する応答として、「Create Session Response」信号あるいは「Modify Bearer Response」信号を、ＭＭＥ１０−１へ送信する。Ｓ−ＧＷ２１は、その際に、ＭＭＥ１０−１へ送信するこれらの信号に含まれる「Sender F-TEID」の領域の先頭部分に、ＭＭＥ１０−１から通知された、ＵＥ３０−ｉに対して設定されたグループＩＤを埋め込む。
【００３２】
Ｓ−ＧＷ２１は、ＭＭＥ１０−１から、ＵＥ３０−ｉに関するグループ情報を含む「Release Access Bearer Request」信号を受信した場合、記憶部２１０に記憶されたグループ情報に基づいて、当該グループ情報に含まれるグループＩＤに関連付けされたＵＥ（ＵＥ３０−ｉ等）に対する解放処理を行う。Ｓ−ＧＷ２１は、その解放処理を完了したのち、解放処理を完了したことを示す「Release Access Bearer Response」信号をＭＭＥ１０−１へ送信する。
【００３３】
ｅＮｏｄｅＢ２２は、ＭＭＥ１０−１から、「Initial Context Setup Request」信号等により、ＵＥ３０−ｉに関するグループ情報を通知された場合、そのグループ情報を、記憶部２２０に記憶する。記憶部２２０は、例えば、ｅＮｏｄｅＢ２２に内包されるメモリ等の記憶デバイスである。記憶部２２０は、ＵＥ３０−ｉとそのグループＩＤとを関連付けて記憶する。ｅＮｏｄｅＢ２２は、ＭＭＥ１０−１から受信した「Initial Context Setup Request」信号に対する応答として、「Initial Context Setup Response」信号を、ＭＭＥ１０−１へ送信する。ｅＮｏｄｅＢ２２は、その際に、ＭＭＥ１０−１へ送信するこの信号に含まれる「S1APID」の領域の先頭部分に、ＭＭＥ１０−１から通知された、ＵＥ３０−ｉに対して設定されたグループＩＤを埋め込む。
【００３４】
ｅＮｏｄｅＢ２２は、ＭＭＥ１０−１から、ＵＥ３０−ｉに関するグループ情報を含む「UE Context Release Command」信号を受信した場合、記憶部２２０に記憶されたグループ情報に基づいて、当該グループ情報に含まれるグループＩＤに関連付けされたＵＥ（ＵＥ３０−ｉ等）に対する解放処理を行う。ｅＮｏｄｅＢ２２は、その解放処理を完了したのち、解放処理を完了したことを示す「UE Context Release Complete」信号をＭＭＥ１０−１へ送信する。
【００３５】
移動通信制御システム１は、Ｓ−ＧＷ２１及びｅＮｏｄｅＢ２２による、ＵＥ３０−ｉ等に対する解放処理が完了したのちに、ＵＥ３０−ｉ等に関する「TAU Procedure」を実行する。「TAU Procedure」では、例えば、ＭＭＥ１０−２が、ＭＭＥ１０−１から、当該グループ情報に含まれるグループＩＤに関連付けされたＵＥ（ＵＥ３０−ｉ等）の通信状態を管理する処理を引き継ぐ場合、ＭＭＥ１０−２は、ＭＭＥ１０−１における制御部１３−１による制御によって、ＵＥ３０−ｉ等の通信状態を管理する処理を開始する。そして、Ｓ−ＧＷ２１及びｅＮｏｄｅＢ２２は、当該グループ情報に基づいて、ＵＥ３０−ｉ等に関して、制御される対象を、ＭＭＥ１０−１からＭＭＥ１０−２へ変更する。
【００３６】
次に図２乃至図４のシーケンス図を参照して、本実施形態に係る移動通信制御システム１の動作（処理）について詳細に説明する。
【００３７】
図２は、本実施形態に係る移動通信制御システム１が、ＭＭＥ１０−１に接続したＵＥ３０−ｉに対してグループＩＤを設定する動作を示すシーケンス図である。
【００３８】
ＭＭＥ１０−１は、ＵＥ３０−ｉから、対向装置２０を介して、「Attach Request」信号あるいは「TAU Request」信号を受信する（ステップＳ１０１）。ＭＭＥ１０−１における設定部１１−１は、グループＩＤを、所定の基準に基づいて、ＵＥ３０−ｉに対して設定する（ステップＳ１０２）。記憶部１２−１は、ＵＥ３０−ｉと設定されたグループＩＤとを関連付けて記憶する（ステップＳ１０３）。
【００３９】
設定部１１−１は、「Create Session Request」信号あるいは「Modify Bearer Request」信号における「Sender F-TEID」の領域に、ＵＥ３０−ｉに対して設定されたグループＩＤを埋め込んだのち、その信号を、Ｓ−ＧＷ２１へ送信する（ステップＳ１０４）。Ｓ−ＧＷ２１は、ＵＥ３０−ｉと設定されたグループＩＤとを関連付けて、記憶部２１０に記憶する（ステップＳ１０５）。Ｓ−ＧＷ２１は、「Create Session Response」信号あるいは「Modify Bearer Response」信号における「Sender F-TEID」の領域に、当該グループＩＤを埋め込んだのち、その信号をＭＭＥ１０−１へ送信する（ステップＳ１０６）。
【００４０】
設定部１１−１は、「Initial Context Setup Request」信号における「S1APID」の領域に、当該グループＩＤを埋め込んだのち、その信号を、ｅＮｏｄｅＢ２２へ送信する（ステップＳ１０７）。ｅＮｏｄｅＢ２２は、ＵＥ３０−ｉと設定されたグループＩＤとを関連付けて、記憶部２２０に記憶する（ステップＳ１０８）。ｅＮｏｄｅＢ２２は、「Initial Context Setup Response」信号における「S1APID」の領域に、当該グループＩＤを埋め込んだのち、その信号をＭＭＥ１０−１へ送信し（ステップＳ１０９）、全体の処理は終了する。
【００４１】
図３は、本実施形態に係る移動通信制御システム１が、管理対象のＵＥ３０−ｉが通信中（ECM-CONNECTED）であるＭＭＥを含むＭＭＥ間で負荷の再分散を行う動作を示すシーケンス図である。
【００４２】
ＭＭＥ１０−１における制御部１３−１は、「Release Access Bearer Request」信号における「TEID」の領域に、ＵＥ３０−ｉに対して設定されているグループＩＤを埋め込んだのち、その信号を、Ｓ−ＧＷ２１へ送信する（ステップＳ２０１）。Ｓ−ＧＷ２１は、受信した信号に含まれるグループＩＤに関連付けされたＵＥ３０−ｉ等の解放処理を行う（ステップＳ２０２）。Ｓ−ＧＷ２１は、その解放処理を完了したのち、解放処理を完了したことを示す「Release Access Bearer Response」信号をＭＭＥ１０−１へ送信する（ステップＳ２０３）。
【００４３】
制御部１３−１は、「UE Context Release Command」信号における「S1APID」の領域に、ＵＥ３０−ｉに対して設定されているグループＩＤを埋め込んだのち、その信号を、ｅＮｏｄｅＢ２２へ送信する（ステップＳ２０４）。ｅＮｏｄｅＢ２２は、受信した信号に含まれるグループＩＤに関連付けされたＵＥ３０−ｉ等の解放処理を行う（ステップＳ２０５）。ｅＮｏｄｅＢ２２は、その解放処理を完了したのち、解放処理を完了したことを示す「UE Context Release Complete」信号をＭＭＥ１０−１へ送信する（ステップＳ２０６）。移動通信制御システム１は、ＭＭＥ１０−１、通信状態を管理する処理の移動先であるＭＭＥ１０−２、Ｓ−ＧＷ２１、ｅＮｏｄｅＢ２２、及び、ＵＥ３０―ｉ等によって、「TAU Procedure」を実行し、全体の処理は終了する。
【００４４】
図４は、本実施形態に係る移動通信制御システム１が、管理対象のＵＥ３０−ｉが待機中（ECM -IDLE）であるＭＭＥを含むＭＭＥ間で負荷の再分散を行う動作を示すシーケンス図である。
【００４５】
ＭＭＥ１０−１における制御部１３−１は、ｅＮｏｄｅＢ２２に対して、「Paging」を行う（ステップＳ３０１）。移動通信制御システム１は、ＭＭＥ１０−１、ｅＮｏｄｅＢ２２、及び、ＵＥ３０−ｉによって、「Service Request Procedure」を行う（ステップＳ３０２）。移動通信制御システム１は、図３に示すステップＳ２０１乃至Ｓ２０７と同様の処理である、ステップＳ３０３乃至Ｓ３０９の処理を行い、全体の処理は終了する。
【００４６】
本実施形態に係る移動通信制御システム１は、移動通信システムにおける端末管理装置間で、移動通信制御の処理の負荷をシステム内で再分散するときに必要な情報処理量を軽減することができる。その理由は、ＭＭＥ１０−１（端末管理装置）における設定部１１−１は、ＵＥ３０−ｉ（移動端末装置）に対して所属するグループを設定することによって生成したグループ情報を対向装置２０に通知し、ＭＭＥ群１０及び対向装置２０は、移動通信制御の処理の負荷をシステム内で再分散する処理を、グループ単位で行うからである。
【００４７】
以下に、本実施形態に係る移動通信制御システム１によって実現される効果について、詳細に説明する。
【００４８】
移動通信サービスにおいて、特定のＭＭＥに負荷が偏らないように、ＭＭＥ間で処理の負荷を再分散する場合、通常、移動端末装置を単位として（すなわち、加入者を単位として）、負荷を再分散するのに必要な情報が、ＭＭＥ、Ｓ−ＧＷ、及び、ｅＮｏｄｅＢとの間で送受信される。したがって、同時に多数の移動端末装置に関する通信制御の処理をＭＭＥ間で移動させる場合、ＭＭＥ、Ｓ−ＧＷ、及び、ｅＮｏｄｅＢとの間で送受信される情報量が膨大となるので、通信インフラの構築コストが増加する、あるいは、呼損等の不具合が発生するという問題がある。
【００４９】
このような問題を解決するために、本実施形態に係る移動通信制御システム１では、ＭＭＥ１０−１は、設定部１１−１、記憶部１２−１、及び、制御部１３−１を備えている。設定部１１−１は、管理対象であるＵＥ３０−ｉが所属するグループを、基準に基づいて設定することによって、ＵＥ３０−ｉと当該グループとを関連付けるグループ情報を生成したのち、当該グループ情報を対向装置２０へ通知する。記憶部１２−１は、当該グループ情報を記憶する。制御部１３−１は、ＵＥ３０−ｉ等の通信状態を管理する処理を、記憶部１２−１に記憶された当該グループ情報に基づいて、グループを単位として、まとめて、例えばＭＭＥ１０−２が引き継ぐように制御する。そして、対向装置２０は、ＭＭＥ１０−２が、ＭＭＥ１０−１から当該グループに属するＵＥ３０−ｉ等の通信状態を管理する処理を引き継ぐときに、当該グループ情報に基づいて、当該グループに属するＵＥ３０−ｉ等に関して、制御される対象を、ＭＭＥ１０−１からＭＭＥ１０−２に変更する。
【００５０】
すなわち、本実施形態に係る移動通信制御システム１では、ＭＭＥ間で処理の負荷を再分散する場合に、負荷を再分散するのに必要な情報は、移動端末装置（加入者）を単位としてではなく、移動端末装置に設定されたグループを単位として、ＭＭＥ群１０と対向装置２０との間で送受信される。これにより、本実施形態に係る移動通信制御システム１は、移動通信システムにおける端末管理装置間で、移動通信制御の処理の負荷をシステム内で再分散するときに必要な情報処理量を軽減することができるので、通信インフラの構築コストが増加する、あるいは、呼損等の不具合が発生するという問題を回避することができる。
【００５１】
また、本実施形態に係るＭＭＥ１０−１における設定部１１−１は、ＵＥ３０−ｉに対してグループＩＤを設定する際の基準として、ＭＭＥ１０−１に含まれる物理資源あるいは論理資源を単位とした基準、あるいは、ＭＭＥ１０−１により実行されるプロセスを単位とした基準、あるいは、通信状態を管理する対象とするＵＥの数に基づく基準等、様々な基準を用いることができる。したがって、本実施形態に係る移動通信制御システム１は、ＵＥを柔軟にグループ分けすることにより、柔軟な通信制御を行うことができる。
【００５２】
また、本実施形態に係る移動通信制御システム１では、ＭＭＥ１０−１が、Ｓ−ＧＷ２１及びｅＮｏｄｅＢ２２に、ＵＥ３０−ｉに対して設定したグループＩＤを通知する方法として、３ＧＰＰのＴＳ２９．２７４及びＴＳ３６．４１３により規定された信号にグループＩＤを埋め込む方法を使用することができる。ＭＭＥ１０−１は、例えば、Ｓ−ＧＷ２１に送信する「Create Session Request」信号あるいは「Modify Bearer Request」信号に含まれる「Sender F-TEID」の領域、あるいは、「Release Access Bearer Request」信号に含まれる「TEID」の領域にグループＩＤを埋め込む。ＭＭＥ１０−１は、例えば、ｅＮｏｄｅＢ２２に送信する「Initial Context Setup Request」信号、あるいは、「UE Context Release Command」に含まれる「S1APID」の領域にグループＩＤを埋め込む。すなわち、本実施形態に係る移動通信制御システム１は、グループＩＤを用いてＭＭＥ間における負荷の再分散を行う機能を既存の移動通信制御システムに実装することによって、ソフトウェア等の開発コストを、低く抑えることができる。
【００５３】
なお、本実施形態に係る移動通信制御システム１は、ＭＭＥ１０−１が、Ｓ−ＧＷ２１及びｅＮｏｄｅＢ２２にグループＩＤを通知する方法として、Ｓ１ＡＰやＧＴＰ（General packet radio service Turning Protocol）において、新たな情報要素を定義するようにしてもよい。
【００５４】
また、本実施形態に係るＭＭＥ１０−１における設定部１１−１は、ＵＥの通信状態を管理する処理を他のＭＭＥが引き継ぐように制御する制御単位を、グループとするか否かを指示する機能切り替え情報に基づいて、その制御単位を、グループあるいはＵＥのいずれかに切り替えるようにしてもよい。この場合、対向装置２０は、当該機能切り替え情報に基づいて、ＵＥに関して制御される対象を、ＭＭＥ１０−１から他のＭＭＥに変更する変更単位を、グループあるいはＵＥのいずれかに切り替える。移動通信制御システム１が、この機能切り替え処理を実装する方法としては、例えば、機能スイッチフラグ（機能切り替え情報）を、ＴＳ２９．２７４、あるいは、ＴＳ３６．４１３によって定義されている、機能サポート有無を通知するためのフラグ、あるいはベンダ機能を通知する領域等に埋め込む方法がある。移動通信制御システム１は、この方法によって、ノード（ＭＭＥ、Ｓ−ＧＷ、ｅＮｏｄｅＢ）間において、この機能の切り替えを行うか否かを事前に調整することができる。本実施形態に係る移動通信制御システム１は、このような機能切り替えを行うことによって、柔軟な通信制御を行うことができる。
【００５５】
また、本実施形態に係るＭＭＥ１０−１における設定部１１−１は、例えば、ＵＥ３０−１乃至３０−ｍの通信状態等に基づいて、上述した機能切り替え情報が示す値を決定し、値を決定した機能切り替え情報を、対向装置２０へ通知するようにしてもよい。
【００５６】
＜第２の実施形態＞
図５は、本願発明の第２の実施形態に係る端末管理装置４０−１の構成を概念的に示すブロック図である。端末管理装置４０−１は、移動端末装置６０−１乃至６０−ｍ（ｍは１以上の任意の整数）の通信状態を管理し、移動端末装置６０−１乃至６０−ｍを外部の装置（不図示）と通信可能に接続するように対向装置５０を制御する。他の端末管理装置４０−２の機能も、端末管理装置４０−１と同等である。
【００５７】
端末管理装置４０−１は、設定部４１−１、記憶部４２−１、及び、制御部４３−１を備えている。
【００５８】
設定部４１−１は、管理対象である移動端末装置６０−１が所属するグループを、基準に基づいて設定することによって、移動端末装置６０−１と当該グループとを関連付けるグループ情報を生成する。そして設定部４１−１は、同一のグループに属する移動端末装置６０−１等の通信状態を管理する処理が他の端末管理装置４０−２へ引き継がれるときに、対向装置５０が、当該グループ情報に基づいて、同一のグループに属する移動端末装置６０−１等に関して、制御される対象を、端末管理装置４０−１から他の端末管理装置４０−２に変更できるように、当該グループ情報を対向装置５０へ通知する。
【００５９】
記憶部４２−１は、当該グループ情報を記憶する。
【００６０】
制御部４３−１は、移動端末装置６０−１等の通信状態を管理する処理を、記憶部４２−１に記憶されたグループ情報に基づいて、当該グループを単位として、他の端末管理装置４０−２が引き継ぐように制御する。
【００６１】
本実施形態に係る移動通信制御システム１は、移動通信システムにおける端末管理装置間で、移動通信制御の処理の負荷をシステム内で再分散するときに必要な情報処理量を軽減することができる。その理由は、端末管理装置４０−１における設定部４１−１は、移動端末装置６０−１に対して所属するグループを設定することによって生成したグループ情報を対向装置５０に通知し、制御部４３−１は、他の端末管理装置４０−２が、移動通信制御の処理を端末管理装置４０−１から引き継ぐ処理を、グループ単位で行うように制御するからである。
【００６２】
＜ハードウェア構成例＞
上述した各実施形態において図１、及び、図５に示したＭＭＥ及び端末管理装置における各部は、専用のＨＷ（ＨａｒｄＷａｒｅ）（電子回路）によって実現することができる。また、図１、及び、図５において、少なくとも、下記構成は、ソフトウェアプログラムの機能（処理）単位（ソフトウェアモジュール）と捉えることができる。
・設定部１１−１及び４１−１、
・制御部１３−１及び４３−１、
・記憶部１２−１及び４２−１の記憶制御機能。
【００６３】
但し、これらの図面に示した各部の区分けは、説明の便宜上の構成であり、実装に際しては、様々な構成が想定され得る。この場合のハードウェア環境の一例を、図６を参照して説明する。
【００６４】
図６は、本願発明の各実施形態に係るＭＭＥあるいは端末管理装置を実行可能な情報処理装置９００（コンピュータ）の構成を例示的に説明する図である。即ち、図６は、図１、及び、図５に示したＭＭＥあるいは端末管理装置を実現可能なコンピュータ（情報処理装置）の構成であって、上述した実施形態における各機能を実現可能なハードウェア環境を表す。
【００６５】
図６に示した情報処理装置９００は、構成要素として下記を備えている。
・ＣＰＵ（Ｃｅｎｔｒａｌ＿Ｐｒｏｃｅｓｓｉｎｇ＿Ｕｎｉｔ）９０１、
・ＲＯＭ（Ｒｅａｄ＿Ｏｎｌｙ＿Ｍｅｍｏｒｙ）９０２、
・ＲＡＭ（Ｒａｎｄｏｍ＿Ａｃｃｅｓｓ＿Ｍｅｍｏｒｙ）９０３、
・ハードディスク（記憶装置）９０４、
・外部装置との通信インタフェース９０５、
・バス９０６（通信線）、
・ＣＤ−ＲＯＭ（Ｃｏｍｐａｃｔ＿Ｄｉｓｃ＿Ｒｅａｄ＿Ｏｎｌｙ＿Ｍｅｍｏｒｙ）等の記録媒体９０７に格納されたデータを読み書き可能なリーダライタ９０８、
・入出力インタフェース９０９。
【００６６】
即ち、上記構成要素を備える情報処理装置９００は、これらの構成がバス９０６を介して接続された一般的なコンピュータである。情報処理装置９００は、ＣＰＵ９０１を複数備える場合もあれば、マルチコアにより構成されたＣＰＵ９０１を備える場合もある。
【００６７】
そして、上述した実施形態を例に説明した本願発明は、図６に示した情報処理装置９００に対して、次の機能を実現可能なコンピュータプログラムを供給する。その機能とは、その実施形態の説明において参照したブロック構成図（図１、及び、図５）における上述した構成、或いはシーケンス図（図２乃至図４）の機能である。本願発明は、その後、そのコンピュータプログラムを、当該ハードウェアのＣＰＵ９０１に読み出して解釈し実行することによって達成される。また、当該装置内に供給されたコンピュータプログラムは、読み書き可能な揮発性のメモリ（ＲＡＭ９０３）、または、ＲＯＭ９０２やハードディスク９０４等の不揮発性の記憶デバイスに格納すれば良い。
【００６８】
また、前記の場合において、当該ハードウェア内へのコンピュータプログラムの供給方法は、現在では一般的な手順を採用することができる。その手順としては、例えば、ＣＤ−ＲＯＭ等の各種記録媒体９０７を介して当該装置内にインストールする方法や、インターネット等の通信回線を介して外部よりダウンロードする方法等がある。そして、このような場合において、本願発明は、係るコンピュータプログラムを構成するコード或いは、そのコードが格納された記録媒体９０７によって構成されると捉えることができる。
【００６９】
以上、上述した実施形態を模範的な例として本願発明を説明した。しかしながら、本願発明は、上述した実施形態には限定されない。即ち、本願発明は、本願発明のスコープ内において、当業者が理解し得る様々な態様を適用することができる。
【００７０】
この出願は、２０１６年７月２６日に出願された日本出願特願２０１６−１４６２６５を基礎とする優先権を主張し、その開示の全てをここに取り込む。
【００７１】
尚、上述した各実施形態の一部又は全部は、以下の付記のようにも記載されうる。しかしながら、上述した各実施形態により例示的に説明した本発明は、以下には限られない。
（付記１）
１以上の移動端末装置の通信状態を管理し、前記移動端末装置を外部の装置と通信可能に接続するように対向装置を制御する複数の端末管理装置のいずれかであって、
管理対象である前記移動端末装置が所属するグループを、基準に基づいて設定することによって、前記移動端末装置と前記グループとを関連付けるグループ情報を生成したのち、同一の前記グループに属する前記移動端末装置の通信状態を管理する処理が他の端末管理装置へ引き継がれるときに、前記対向装置が、前記グループ情報に基づいて、同一の前記グループに属する前記移動端末装置に関して、制御される対象を、自装置から前記他の端末管理装置に変更できるように、前記グループ情報を前記対向装置へ通知する設定手段と、
前記グループ情報を記憶する記憶手段と、
前記移動端末装置の通信状態を管理する処理を、前記記憶手段に記憶された前記グループ情報に基づいて、前記グループを単位として、前記他の端末管理装置が引き継ぐように制御する制御手段と、
を備える端末管理装置。
（付記２）
前記設定手段は、前記移動端末装置の通信状態を管理する、前記端末管理装置に含まれる物理資源あるいは論理資源を単位として、前記物理資源あるいは前記論理資源と紐付けされる前記グループを設定する、
付記１に記載の端末管理装置。
（付記３）
前記設定手段は、前記移動端末装置の通信状態を管理する、前記端末管理装置により実行されるプロセスを単位として、前記プロセスに紐付けされる前記グループを設定する、
付記１に記載の端末管理装置。
（付記４）
前記設定手段は、通信状態を管理する対象である前記移動端末装置の数に基づいて、前記グループを決定する、
付記１に記載の端末管理装置。
（付記５）
前記設定手段は、前記対向装置に対して通知する、Ｓ１アプリケーションプロトコルを識別可能な識別情報、及び、回線の接続ごとに仮想的な直結回線を識別可能な識別情報の少なくともいずれかに、前記グループ情報を含めることによって、前記グループ情報を、前記対向装置に対して通知する、
付記１乃至４のいずれか一項に記載の端末管理装置。
（付記６）
１以上の移動端末装置の通信状態を管理する第一及び第二の端末管理装置のいずれかによる制御によって、前記移動端末装置を外部の装置と通信可能に接続する対向装置であって、
前記第一の端末管理装置によって、管理対象の前記移動端末装置が所属するグループを基準に基づいて設定された前記グループと、前記移動端末装置と、を関連付けるグループ情報を通知されたのちに、前記第二の端末管理装置が、前記第一の端末管理装置から同一の前記グループに属する前記移動端末装置の通信状態を管理する処理を引き継ぐときに、前記グループ情報に基づいて、同一の前記グループに属する前記移動端末装置に関して、制御される対象を、前記第一の端末管理装置から前記第二の端末管理装置に変更する、
対向装置。
（付記７）
１以上の移動端末装置の通信状態を管理する第一及び第二の端末管理装置と、
少なくとも前記第一の端末管理装置による制御によって、前記移動端末装置を外部の装置と通信可能に接続する対向装置と、
を含み、
前記第一の端末管理装置は、
管理対象の前記移動端末装置が所属するグループを、基準に基づいて設定することによって生成した、前記移動端末装置と前記グループとを関連付けるグループ情報を、前記対向装置へ通知する設定手段と、
前記グループ情報を記憶する記憶手段と、
前記移動端末装置の通信状態を管理する処理を、前記記憶手段に記憶された前記グループ情報に基づいて、前記グループを単位として、前記第二の端末管理装置が引き継ぐように制御する制御手段と、
を備え、
前記対向装置は、前記第二の端末管理装置が、前記第一の端末管理装置から同一の前記グループに属する前記移動端末装置の通信状態を管理する処理を引き継ぐときに、前記グループ情報に基づいて、同一の前記グループに属する前記移動端末装置に関して、制御される対象を、前記第一の端末管理装置から前記第二の端末管理装置に変更する、
移動通信制御システム。
（付記８）
前記第一の端末管理装置において、
前記制御手段は、前記移動端末装置の通信状態を管理する処理を前記第二の端末管理装置が引き継ぐように制御する制御単位を前記グループとするか否かを指示する機能切り替え情報に基づいて、前記制御単位を、前記グループあるいは前記移動端末装置のいずれかに切り替え、
前記対向装置は、前記機能切り替え情報に基づいて、前記移動端末装置に関して、制御される対象を、前記第一の端末管理装置から前記第二の端末管理装置に変更する変更単位を、前記グループあるいは前記移動端末装置のいずれかに切り替える、
付記７に記載の移動通信制御システム。
（付記９）
１以上の移動端末装置の通信状態を管理する第一及び第二の端末管理装置と、
前記端末管理装置による制御によって、前記移動端末装置を外部の装置と通信可能に接続する対向装置と、
を含むシステムにおいて、
前記第一の端末管理装置によって、
管理対象の前記移動端末装置が所属するグループを基準に基づいて設定することによって生成した、前記移動端末装置と前記グループとを関連付けるグループ情報を、前記対向装置へ通知し、
前記グループ情報を記憶手段に記憶し、
前記移動端末装置の通信状態を管理する処理を、前記記憶手段に記憶された前記グループ情報に基づいて、前記グループを単位として、前記第二の端末管理装置が引き継ぐように制御し、
前記対向装置によって、
前記第二の端末管理装置が、前記第一の端末管理装置から同一の前記グループに属する前記移動端末装置の通信状態を管理する処理を引き継ぐときに、前記グループ情報に基づいて、同一の前記グループに属する前記移動端末装置に関して、制御される対象を、前記第一の端末管理装置から前記第二の端末管理装置に変更する、
移動通信制御方法。
（付記１０）
１以上の移動端末装置の通信状態を管理し、前記移動端末装置を外部の装置と通信可能に接続するように対向装置を制御する複数の端末管理装置のいずれかによって、
管理対象である前記移動端末装置が所属するグループを、基準に基づいて設定することによって、前記移動端末装置と前記グループとを関連付けるグループ情報を生成したのち、同一の前記グループに属する前記移動端末装置の通信状態を管理する処理が他の端末管理装置へ引き継がれるときに、前記対向装置が、前記グループ情報に基づいて、同一の前記グループに属する前記移動端末装置に関して、制御される対象を、自装置から前記他の端末管理装置に変更できるように、前記グループ情報を前記対向装置へ通知する設定処理と、
前記グループ情報を記憶手段に記憶する記憶処理と、
前記移動端末装置の通信状態を管理する処理を、前記記憶手段に記憶された前記グループ情報に基づいて、前記グループを単位として、まとめて前記他の端末管理装置が引き継ぐように制御する制御処理と、
を実行させるための端末管理プログラム。
（付記１１）
前記第一の端末管理装置において、前記設定手段は、前記移動端末装置の通信状態を管理する、前記端末管理装置に含まれる物理資源あるいは論理資源を単位として、前記物理資源あるいは前記論理資源と紐付けされる前記グループを設定する、
付記７に記載の移動通信制御システム。
（付記１２）
前記第一の端末管理装置において、前記設定手段は、前記移動端末装置の通信状態を管理する、前記端末管理装置により実行されるプロセスを単位として、前記プロセスに紐付けされる前記グループを設定する、
付記７に記載の移動通信制御システム。
（付記１３）
前記第一の端末管理装置において、前記設定手段は、通信状態を管理する対象である前記移動端末装置の数に基づいて、前記グループを決定する、
付記７に記載の移動通信制御システム。
（付記１４）
前記対向装置は、前記移動端末装置を前記外部の装置と通信可能に接続する基地局を備え、
前記第一の端末管理装置において、前記設定手段は、前記基地局に対して通知する、Ｓ１アプリケーションプロトコルを識別可能な識別情報に、前記グループ情報を含めることによって、前記グループ情報を、前記基地局に対して通知する、
付記７に記載の移動通信制御システム。
（付記１５）
前記対向装置は、前記基地局を収容するゲートウェイを備え、
前記第一の端末管理装置において、前記設定手段は、前記ゲートウェイに対して通知する、回線の接続ごとに仮想的な直結回線を識別可能な識別情報に、前記グループ情報を含めることによって、前記グループ情報を、前記ゲートウェイに対して通知する、
付記１４に記載の移動通信制御システム。
（付記１６）
前記第一の端末管理装置において、前記制御手段は、前記移動端末装置の通信状態を管理する処理を前記第二の端末管理装置が引き継ぐように制御する制御単位を、前記グループとするか否かを指示する機能切り替え情報に基づいて、前記制御単位を、前記グループあるいは前記移動端末装置のいずれかに切り替え、
前記対向装置は、前記機能切り替え情報に基づいて、前記移動端末装置に関して、制御される対象を、前記第一の端末管理装置から前記第二の端末管理装置に変更する変更単位を、前記グループあるいは前記移動端末装置のいずれかに切り替える、
付記７に記載の移動通信制御システム。
（付記１７）
前記第一の端末管理装置において、前記制御手段は、１以上の前記移動端末装置の通信状態に基づいて、前記機能切り替え情報が示す値を決定し、値を決定した前記機能切り替え情報を、前記対向装置へ通知する、
付記１６に記載の移動通信制御システム。
【符号の説明】
【００７２】
１    移動通信制御システム
１０    ＭＭＥ群
１０−１乃至１０−ｎ    ＭＭＥ
１１−１    設定部
１２−１    記憶部
１３−１    制御部
２０    対向装置
２１    Ｓ−ＧＷ
２１０    記憶部
２２    ｅＮｏｄｅＢ
２２０    記憶部
３０−１乃至３０−ｍ    ＵＥ
４０−１    端末管理装置
４０−２    他の端末管理装置
４１−１    設定部
４２−１    記憶部
４３−１    制御部
５０    対向装置
６０−１乃至６０−ｍ    移動端末装置
９００    情報処理装置
９０１    ＣＰＵ
９０２    ＲＯＭ
９０３    ＲＡＭ
９０４    ハードディスク（記憶装置）
９０５    通信インタフェース
９０６    バス
９０７    記録媒体
９０８    リーダライタ
９０９    入出力インタフェース
【図１】
2018021162.tif 000003
【図２】
2018021162.tif 000004
【図３】
2018021162.tif 000005
【図４】
2018021162.tif 000006
【図５】
2018021162.tif 000007
【図６】
2018021162.tif 000008
【国際調査報告】
2018021162.tif 000009
2018021162.tif 000010
2018021162.tif 000011
2018021162.tif 000012